(57)【要約】【課題】本発明は、ナノパウダーを合成する装置を提供する。【解決手段】ガス雰囲気と、ペアの削磨電極とを有する反応チャンバであって、該ペアの電極のうちの少なくとも１つはナノパウダーを生成するための前駆物質である、反応チャンバと、該ペアの削磨電極に電気接続された高電力パルス電源と、該ペアの削磨電極に接続されたオートヒューザデバイスであって、該オートヒューザデバイスは、オートヒューズ電源と、トリガ回路と、該削磨電極のうちの１つに電気接続された第１の一次電極、該オートヒューズ電源に電気接続された第２の一次電極および該トリガ回路に電気接続された二次電極を有するトリガードスパークギャップデバイスとを含む、オートヒューザデバイスとを備える、装置。【選択図】図１
2011212838.tif 000002
【特許請求の範囲】
【請求項１】
ナノパウダーを生成する装置であって、
該装置は、
ガス雰囲気と、ペアの削磨電極とを有する反応チャンバであって、該ペアの削磨電極のうちの少なくとも１つの削磨電極はナノパウダーを生成するための前駆物質である、反応チャンバと、
該ペアの削磨電極に電気接続された高電力パルス電源と、
該ペアの削磨電極に接続されたオートヒューザデバイスであって、該オートヒューザデバイスは、オートヒューズ電源と、トリガ回路と、該削磨電極のうちの１つに電気接続された第１の一次電極、該オートヒューズ電源に電気接続された第２の一次電極および該トリガ回路に電気接続された二次電極を有するトリガードスパークギャップデバイスとを含む、オートヒューザデバイスと
を備え、該トリガ回路は、パルスを該二次電極に供給することにより、該オートヒューズ電源によって該２つの一次電極の間にアークを誘起するように、該第１の一次電極および該二次電極の間にスパークを生成し、その結果、ナノパウダーを生成するために該ペアの削磨電極のうちの該少なくとも１つの削磨電極を削磨するために、該ペアの削磨電極の間の電位が、該ペアの削磨電極の間に形成されるアークに対するブレイクダウン電圧レベルより高く増加される、装置。
【請求項２】
ナノパウダーを合成する方法であって、
該方法は、
ガス雰囲気中で間隔があいたペアの削磨電極を有する反応チャンバを提供することであって、該ペアの削磨電極のうちの少なくとも１つの削磨電極はナノパウダーを生成するための前駆物質である、ことと、
該ペアの削磨電極を高電力パルス電源に電気接続することと、
該ペアの削磨電極をオートヒューザデバイスに電気接続することであって、該オートヒューザデバイスは、オートヒューズ電源と、トリガ回路と、該削磨電極のうちの１つに電気接続された第１の一次電極、該オートヒューズ電源に電気接続された第２の一次電極および該トリガ回路に電気接続された二次電極を有するトリガードスパークギャップデバイスとを含む、ことと、
該トリガ回路によってパルスを該二次電極に供給することにより、該オートヒューズ電源によって該２つの一次電極の間にアークを誘起するように、該第１の一次電極および該二次電極の間にスパークを生成することであって、その結果、ナノパウダーを生成するために該ペアの削磨電極のうちの該少なくとも１つの削磨電極を削磨するために、該ペアの削磨電極の間の電位が、該ペアの削磨電極の間に形成されるアークに対するブレイクダウン電圧レベルより高く増加される、ことと
を包含する、方法。
【請求項３】
ナノパウダーを合成する装置であって、
該装置は、
ガス雰囲気中でペアの削磨電極を有する反応チャンバであって、第１のスタンドオフ電圧が該ペアの削磨電極の間に形成され、該削磨電極のうちの１つは、ナノパウダーを生成するための前駆物質である、反応チャンバと、
該ペアの削磨電極のうちの第１の電極に電気接続された第１の端子を有するパルス電源であって、該パルス電源は、該ペアの削磨電極の間に第１の電圧を印加し、該第１の電圧は、該第１のスタンドオフ電圧未満である、パルス電源と、
一次コイルと二次コイルとを有するパルス変圧器であって、該二次コイルは該パルス電源の第２の端子と該ペアの削磨電極のうちの第２の電極とに電気接続され、該パルス変圧器は、該パルス電源に該ペアの削磨電極の間で放電させてナノパウダーを生成するためのパルスを生成する、パルス変圧器と、
ペアの一次電極と二次電極とを有するトリガスパークギャップデバイスであって、該ペアの一次電極のうちの第１の一次電極は、該パルス変圧器の該一次コイルと電気接続され、該トリガスパークギャップデバイスは、該ペアの一次電極の間に第２のスタンドオフ電圧を生成するためにトリガパルスを受け取ることが可能であり、該第２のスタンドオフ電圧がオートヒューザ電圧よりも大きい、トリガスパークギャップデバイスと、
該トリガスパークギャップデバイスの該二次電極に電気接続されたトリガ回路であって、該オートヒューザ電圧が該トリガスパークギャップデバイスの該ペアの一次電極の間で放電されることを可能にするように該第２のスタンドオフ電圧を低減するように、該トリガスパークギャップデバイスに該トリガパルスを供給する外部刺激に応答し、該トリガ回路は、該パルス変圧器に、該パルス変圧器の該二次コイルにおいてパルスを生成させ、該ペアの削磨電極の間の電圧を該第１のスタンドオフ電圧を超えるように増加させる、トリガ回路と、
該トリガスパークギャップデバイスの該ペアの一次電極のうちの第２の一次電極と、該一次コイルとに電気接続されたオートヒューズ電源であって、該オートヒューズ電源は、該トリガスパークギャップデバイスの該ペアの一次電極の間にオートヒューザ電圧を提供する、オートヒューズ電源と
を備える、装置。
【発明の詳細な説明】
【技術分野】
【０００１】
（優先日の主張）
本特許出願は、発明者がＫｕｒｔ  Ａ．  Ｓｃｈｒｏｄｅｒ、Ｓｔｅｐｈｅｎ  Ｊ．  ＳｃｈｍｉｄｔおよびＤｏｕｇ  Ｋ．  Ｊａｃｋｓｏｎの米国仮特許出願第６０／５０５，６４４号（９／２４／０３出願）の最先の出願日の利益を主張し、それは本発明の譲受人に譲渡されている。
【０００２】
（発明の分野）
本発明は、概して、ナノパウダーを合成するプロセスに関し、より詳しくは、ナノパウダーを合成するための前駆物質の電極間に、高電力パルスアーク放電を生じさせるのに外部高電力スイッチを必要としないナノパウダー合成プロセスに関する。
【背景技術】
【０００３】
極めて短時間にわたり高電力かつ高電圧で放電されるパルス電力の分野では、信頼性のあるスイッチの欠如が、ナノパウダー合成へのパルス電力の広範な商用インプリメンテーションを妨げてきた。
【０００４】
ナノパウダーを合成する方法の一つには、少なくとも一方が前駆物質から構成された削磨（ａｂｌａｔｉｎｇ）電極である２つの電極間にある高電力パルスの放電が含まれる。高電力パルスアークは、高電力パルス放電電源（例えば、コンデンサバンク）に電極を接続することによって、生成される。電源の充電の間では、電極は、外部の高電力パルス電力スイッチを介した充電電圧から分離されている。電極間のスタンドオフ電位差が電源の充電電圧よりも小さい場合では、外部スイッチが閉じているときにおいて高電力のパルス放電アークが電極を横断して生成される。
【０００５】
上記の合成システムによるナノパウダーの製造は、用いる外部のパルス電力スイッチの信頼性に依存する。以前のパルス電力スイッチには、製品番号ＮＬ１４８８としてＬａＦｏｘ，  ＩｌｌｉｎｏｉｓのＲｉｃｈａｒｄｓｏｎ  Ｅｌｅｃｔｒｏｎｉｃｓによって提供されるイグナイトロン、および固体スイッチ（例えば、製品番号ＳＴ３２３ＯＣ１８ＲＯとしてＥｌ  Ｓｅｇｕｎｄｏ，  ＣａｌｉｆｏｒｎｉａのＩｎｔｅｒｎａｔｉｏｎａｌ  Ｒｅｃｔｉｆｉｅｒによって提供されるスイッチまたは製品番号ＴＯ２０４４３３０２としてＹｏｕｎｇｗｏｏｄ，  ＰｅｎｎｓｙｌｖａｎｉａのＰｏｗｅｒｅｘ  Ｉｎｃ．によって提供されるスイッチ）、および一般に利用可能な高電力接触スイッチが含まれる。
【０００６】
典型的なイグナイトロン（例えば、ＬａＦｏｘ，  ＩｌｌｉｎｏｉｓのＲｉｃｈａｒｄｓｏｎ  Ｅｌｅｃｔｒｏｎｉｃｓによって提供される製品番号ＮＬ１４８８）は、５０ｋＶ、７５ｋＡの動作が可能な高電力の真空水銀スイッチであり、約１００，０００動作の寿命を有する。さらに、イグナイトロンは、一部が水銀のプールで満たされた真空キャニスターと、高電力のパルス放電電源に接続された２つの一次電極と、二次電極とを備える。一次電極のひとつと二次電極を第２の放電電源に接続する必要がある。動作中では、第２の放電電源は、水銀を一部気化させるように放電し、それによって、一次電極を電気接触させる。その後、高電力パルス放電電源は、一次電極間に高電力パルスアークを引き起こすように放電される。イグナイトロンの不利な点には、制限された寿命と、装置の破壊および水銀のコンタミネーションを招き得る破壊的不具合の傾向とが含まれる。
【０００７】
固体スイッチ（例えば、ＩＧＢＴ（ｉｎｓｕｌａｔｉｎｇ  ｇａｔｅ  ｂａｒｒｉｅｒ  ｔｒａｎｓｉｓｔｏｒ）またはＳＣＲ（ｓｉｌｉｃｏｎ  ｃｏｎｔｒｏｌｌｅｄ  ｒｅｃｔｉｆｉｅｒ）スイッチ）は、イグナイトロンよりも信頼性がある。しかし、固体スイッチは、一般的にはイグナイトロンよりも高価であり、低い電力定格を有する。電力定格が低いほど、より低い電流容量および／または電圧スタンドオフになる。その結果、直列および／または並列のスイッチ配置のスイッチのバンクは、イグナイトロンによって切り替えられるのと匹敵するパルスを切り替える必要がある。低い電力定格は、複数の固体スイッチをカスタムな配置で用いることによって克服され得るが、一般的には、そのような配置は、誘起効果および抵抗効果を低減し負荷バランスを確保するために、冷却と複雑な相互接続を必要とする。高電力パルス放電に関して、高抵抗は、通常は、所望のパルスを生成するのに必要な電力量を増加させ、その一方で、高インダクタンスは、パルス長の望ましくない増加を引き起こす傾向にある。
【０００８】
高電力コンタクトまたはスパークギャップスイッチは、単純でありイグナイトロンまたは固体スイッチよりも安価ではあるが、一般的には、上述した高電力のパルス放電環境におけるただ一回の使用の後に破壊されるという不利な点を有する。
【０００９】
外部高電力スイッチを有するシステムの別の不利な点は、所望のスタンドオフ電圧を達成するのに必要な電極間の最大ギャップが印加電圧によって決定されるということである。電極の間隔が非常に狭い場合では、製造設備において磨耗が生じる。さらに、電極は異常な磨耗を受ける。これによって、ナノパウダーの歩留まりは低くなり、設備がダウンタイムになる。より高い印加電圧システムが電極の間隔を広げるように設計される場合では、スイッチおよび製造設備の部品は、より高いスタンドオフ電圧に適合するように設計する必要がある。これによって、コストが高くなり、システムの信頼性は下がる。
【００１０】
従来技術のシステムによる上記の不利な点を克服する試みの一方法は、電極間にヒューズ線を用いることによる。その後の電極間のギャップは、印加電圧と独立して調節され得る。動作中では、外部パルス電力スイッチが閉じられるとすぐに、ヒューズ線は破裂する。その結果、パルス電源の放電を可能にするように導電パスを提供し続けるプラズマが生成される。しかし、ヒューズ線を用いることには、放電ごとに新たなヒューズ線を取り付ける必要がある。さらに、ヒューズ線が電極の前駆物質と同一の組成でない限り、ヒューズ線は、製造されるナノパウダーをコンタミする。
【発明の概要】
【課題を解決するための手段】
【００１１】
本発明は、外部高電力スイッチの使用およびそれらのスイッチに付随する不利な点を避け、劣化なしでの高繰り返し率（≧１Ｈｚ）における電極間の繰り返し放電（１０７のオーダーの放電）に耐えるナノパウダー合成システムである。これは、主電源から放電を引き起こすように電極間に高電圧かつ高周波数の電流パルスを提供する比較的低エネルギーのオートヒューザ（ａｕｔｏｆｕｓｅｒ）を用いて、電極を高電力スイッチに効果的に変化させることによって、達成される。関連技術における一般的な理解では、スイッチの劣化を引き起こすアーク削磨のために合成システムの電極の先端部が除去されるので、その電極をスイッチとして用いることは望ましくないが、本発明は、削磨された電極物質からナノパウダーを生成し、コンシステントな動作を提供するために、各々に対して電極にインデックス付けをする。従って、電極先端部の削磨は、望ましくなり、電極を横断した主電源放電が低エネルギーオートヒューザによって引き起こされる。従って、高繰り返し率での平均電力の高い放電が確実に実行され得る。
【００１２】
本発明の新規な局面および特徴は添付の特許請求の範囲に規定されるが、本発明の原理、例示的な実施形態および使用の最適なモードは、添付の図面とともに好適な実施形態の詳細な説明を参照することによって、最も良く理解される。
例えば、本発明は以下の項目を提供する。
（項目１）
ナノパウダーを生成する合成システムであって、
ガス雰囲気と、間隔のあいたペアの電極とを有する反応チャンバであって、該ペアの電極の少なくとも１つは前駆物質である、反応チャンバと、
該ペアの電極を横断して電気接続された高電力パルス電源と、
該ペアの電極を横断して該高電力パルス電源から高電力アーク放電を引き起こして該ナノパウダーを生成する、該ペアの電極に接続されたオートヒューザデバイスと
を備える、合成システム。
（項目２）
ナノパウダーを生成する合成システムであって、
前駆物質のペアの削磨電極とガス雰囲気とを有する反応チャンバであって、該ペアの削磨電極が、軸方向に並ぶが対向する関係で間隔があいている、反応チャンバと、
該ペアの削磨電極を横断して電気接続された高電力パルス電源と、
該ペアの削磨電極に並列に電気接続されたオートヒューザデバイスであって、それによって該ペアの削磨電極を横断して該高電力パルス電源の放電を引き起こして該ナノパウダーを生成する、オートヒューザデバイスと
を備える、合成システム。
（項目３）
上記オートヒューザデバイスが、オートヒューズ電源と、第１の一次電極、第２の一次電極および二次電極を有するトリガードスパークギャップデバイスと、外部刺激に応答し該二次電極に電気接続されたトリガ回路と、該第２の一次電極に電気接続された該ペアの削磨電極の第１の電極とを備え、該オートヒューズ電源は該第１の一次電極に電気接続されている、項目２に記載の合成システム。
（項目４）
上記ガス雰囲気が、不活性ガスと、反応ガスと、該不活性ガスと該反応ガスの組み合わせとのうちの１つであり得る、項目２に記載の合成システム。
（項目５）
上記オートヒューザデバイスが、高繰り返し率で繰り返し上記高電力パルス電源をトリガする、項目３に記載の合成システム。
（項目６）
ナノパウダーを生成する合成システムであって、
前駆物質のペアの削磨電極とガス雰囲気とを有する反応チャンバであって、該ペアの削磨電極が、軸方向に並ぶが対向する関係で間隔があいている、反応チャンバと、
該ペアの削磨電極を横断して電気接続された高電力パルス電源と、
該ペアの削磨電極に直列に電気接続されたオートヒューザデバイスであって、それによって該ペアの削磨電極を横断して該高電力パルス電源の放電を引き起こして該ナノパウダーを生成する、オートヒューザデバイスと
を備える、合成システム。
（項目７）
反応チャンバにおいてナノパウダーを合成する方法であって、該反応チャンバはガス雰囲気中で間隔があいたペアの電極を有し、該ペアの電極の少なくとも１つは前駆物質であり、
該方法は、
該ペアの電極の間にスタンドオフ電圧を生成するように、該ペアの電極を各々に対してインデックス付けすることと、
該スタンドオフ電圧よりも小さな、該ペアの電極を横断した第１の電圧を印加することと、
該ペアの電極を横断した該第１の電圧を維持する間において、該ペアの電極の１つの電極に電気パルスを印加することによって、該スタンドオフ電圧を超えさせ、該ペアの電極の間に放電アークを生じさせることによって該ペアの電極の該少なくとも一つを削磨して該ナノパウダーを生成することと
を包含する、方法。
（項目８）
上記電気パルスを印加するステップの後において、上記ペアの電極が実質的に削磨されるまで、上記方法の各ステップが繰り返される、項目７に記載のナノパウダーを合成する方法。
（項目９）
ガス雰囲気中に間隔があいた複数の電極を有する反応チャンバにおいてナノパウダーを合成する方法であって、
スタンドオフ電圧を形成するように該間隔があいた複数の電極を配置することと、
該間隔があいた複数の電極に、該スタンドオフ電圧より小さな第１の電圧を印加することと、
該第１の電圧を維持する間において、該間隔があいた複数の電極の１つに電気パルスを印加することによって、該スタンドオフ電圧を超えさせ、放電アークを生じさせることによって該間隔があいた複数の電極の少なくとも１つを削磨して該ナノパウダーを生成することと
を包含する、方法。
（項目１０）
上記電気パルスを印加するステップの後において、上記間隔があいた複数の電極が実質的に削磨されるまで、上記方法の各ステップが繰り返される、項目９に記載の方法。
（項目１１）
ナノパウダーを合成するシステムであって、
ガス雰囲気中で軸方向に対向する関係で配置された前駆物質のインデックス付け可能なペアの電極を有する反応チャンバであって、第１のスタンドオフ電圧は該インデックス付け可能なペアの電極を横断する、反応チャンバと、
該インデックス付け可能なペアの電極を横断して該第１のスタンドオフ電圧よりも小さい第１の電圧を印加する、該インデックス付け可能なペアの電極に並列に電気接続されたパルス電源手段と、
該インデックス付け可能なペアの電極の１つに電気接続されたトリガスパークギャップ手段であって、該トリガスパークギャップ手段はペアの一次電極と二次電極とを有し、第２のスタンドオフ電圧は、該ペアの一次電極を横断し、オートヒューザ電圧よりも大きく、該ペアの電極の間にアーク放電を生じさせて該インデックス付け可能な電極の少なくとも１つを削磨することによって該ナノパウダーを生成するように、該第１の電圧を該第１のスタンドオフ電圧以上に増加させる電気パルスに応答する、トリガスパークギャップ手段と、
該二次電極に電気接続されていて、該トリガスパークギャップ手段へと該電気パルスを供給する外部刺激に応答するトリガ回路と、
該トリガスパークギャップ手段に該オートヒューザ電圧を提供する、該トリガスパークギャップ手段に電気接続されたオートヒューズ電源手段と
を備える、システム。
（項目１２）
ナノパウダーを合成するシステムであって、
ガス雰囲気中で軸方向に対向する関係で配置されたペアの電極を有する反応チャンバであって、第１のスタンドオフ電圧は該ペアの電極を横断する、反応チャンバと、
該ペアの電極を横断して該第１のスタンドオフ電圧よりも小さい第１の電圧を印加する、該ペアの電極の第１の電極に直列に電気接続された第１の端子を有するパルス電源手段と、
該パルス電源手段に該ペアの電極を横断して放電させてナノパウダーを生成するパルスを生成する、一次コイルと二次コイルとを有するパルス変圧器手段であって、該二次コイルは該パルス電源手段の第２の端子と該ペアの電極の第２の電極とに直列に電気接続されている、パルス変圧器手段と、
ペアの一次電極と二次電極とを有するトリガスパークギャップ手段であって、該ペアのうちの第１の一次電極は、該一次コイルと直列に電気接続されており、第２のスタンドオフ電圧は、該ペアの一次電極を横断し、オートヒューザ電圧よりも大きく、トリガパルスに応答するトリガスパークギャップ手段と、
該オートヒューザ電圧が該ペアの一次電極を横断して放電することを可能にするように該第２のスタンドオフ電圧を低減し、それによって該パルス変圧器手段に、該二次コイルにおいてパルスを生成させ、該第１のスタンドオフ電圧を超えるように該ペアの電極を横断する電圧を増加させるための、該二次電極に電気接続されていて、該トリガスパークギャップ手段へと該トリガパルスを供給する外部刺激に応答するトリガ回路と、
該トリガスパークギャップ手段の該ペアの第２の一次電極に電気接続された第３の端子と、該一次コイルに電気接続された第４の端子とを有し、該ペアの一次電極を横断してオートヒューザ電圧を提供するオートヒューズ電源手段と
を備える、システム。
【図面の簡単な説明】
【００１３】
【図１】図１は、オートヒューザ回路が前駆物質の電極と並列に接続された本発明の第１の実施形態の接続図である。
【図２】図２は、図１のオートヒューザ回路が前駆物質の電極と直列に接続された本発明の第２の実施形態の接続図である。
【発明を実施するための形態】
【００１４】
（好適な実施形態の詳細な説明）
以下の用語は、本明細書において小文字または大文字で用いられる場合には、以下に示す定義を有するものとする。
「スタンドオフ電圧」は、電極間にアーク放電を引き起こすのに必要な電圧を意味するものとする。
「高電圧」は、５００ボルトよりも大きな電圧を意味するものとする。
「高電力」は、１００ｋＷよりも大きな電力を意味するものとする。
「ナノパウダー」は、主に１〜５００ナノメートル（ｎｍ）のサイズのナノ粒子からなるナノ物質を意味するものとする。
「削磨物質」は、プラズマ速度によって引き起こされた機械的せん断と熱伝達との複合効果が原因で前駆物質のかたまりから除去された物質を意味するものとする。
「前駆物質」は、ナノパウダーを生成するために処理される物質を意味するものとする。
【００１５】
図１を参照すると、本発明の一実施形態が示されている。そこでは、高電力パルス電源３０の正電極は、導線３１を介して前駆物質のアノード電極３２に接続されており、パルス電源３０の負電極は、導線３３を介して、前駆物質を含み得るカソード電極３４に接続されている。アノード電極３２およびカソード電極３４は、不活性ガスおよび／または反応ガスで満たされた反応チャンバ３５内に配置されている。このガスとしては、アルゴン、窒素、酸素、またはそれらを組み合わせたものが挙げられるが、それらには限定されない。ガス雰囲気の選択は、望まれるナノパウダーに基づく。
【００１６】
アノード電極３２は、導線４０を介して、トリガードスパークギャップデバイス４２の第１の一次電極４１に接続されており、そのデバイスは、第２の一次電極４３と第２の電極４４とを有する。
【００１７】
トリガードスパークギャップデバイス４２は、商業上、Ｔｒｉｇａｔｒｏｎと称され、それは、Ｐｌａｔｔｓｂｕｒｇｈ，  Ｎｅｗ  ＹｏｒｋのＭａｇｎａｖｏｌｔ  ＴｅｃｈｎｏｌｏｇｉｅｓおよびＬｅｗｉｓ  Ｃｅｎｔｅｒ，  ＯｈｉｏのＲＥ  Ｂｅｖｅｒｌｙ  ＩＩＩ  Ａｎｄ  Ａｓｓｏｃｉａｔｅｓによって製造および販売されている。
【００１８】
トリガードスパークギャップ（「ＴＳＧ」）デバイス４２の第１の一次電極４１と、第２の一次電極４３と、第２の電極４４とは、不活性ガスで満たされたコンテナに収容されている。第２の一次電極４３もまた、導線５０を介してオートヒューザコンデンサ５１の正端子に接続されており、そのコンデンサは、約０．０３μＦおよび４０ｋＶの定格を有する。そのコンデンサの負端子は、導線５２を介してグランドに接続されている。第２の一次電極４３はまた、導線５０および５３を介してオートヒューザ電源保護回路５４の一端子に接続されており、それの別端子は、導線５５を介してオートヒューザ充電用電源５６の正端子に接続されている。オートヒューザ充電用電源５６の負端子は、導線５７を介してグランドに接続されている。
【００１９】
オートヒューザ電源保護回路５４は、Ｌｕｃｅｒｎｅｍｉｎｅｓ，  ＰｅｎｎｓｙｌｖａｎｉａのＣＫＥ、および、Ｈａｕｐｐｕａｇｅ，  Ｎｅｗ  ＹｏｒｋのＳｐｅｌｌｍａｎ  Ｈｉｇｈ  Ｖｏｌｔａｇｅ  Ｅｌｅｃｔｒｏｎｉｃｓ  Ｃｏｒｐ．、および、Ｖａｌｈａｌｌａ，  Ｎｅｗ  ＹｏｒｋのＢｅｒｔａｎ，  Ｄｅｌ  Ｐｏｗｅｒ  Ｃｏｎｖｅｒｓｉｏｎ  Ｇｒｏｕｐ  Ｃｏｍｐａｎｙによるカスタムデザインに応答して、商業上、提供される。
【００２０】
オートヒューザコンデンサ５１、オートヒューザ電源保護回路５４およびオートヒューザ充電用電源５６は、本発明のオートヒューズ電源５８を構成する。オートヒューザ充電用電源５６は、一般的に利用可能なＤＣの高電圧（２０〜４０ｋＶ）の電源であり、例としては、Ｖａｌｈａｌｌａ，  Ｎｅｗ  ＹｏｒｋのＢｅｒｔａｎによって製造および販売されている。
【００２１】
二次電極４４は、導線６０を介してＴＳＧ保護回路６１の一端子に接続されており、それの第２の端子は、導線６２を介してステップアップ変圧器６３の一次巻線に接続されている。ステップアップ変圧器６３の二次巻線は、トリガパルス生成器６４の出力端子に接続されている。トリガパルス生成器６４の入力端子は、光ファイバーケーブル６５を介して、電気入力ライン６７を有する光信号源６６に接続されている。
【００２２】
ＴＳＧ保護回路６１、ステップアップ変圧器６３、トリガパルス生成器６４および光源６６は、トリガ回路６８を構成する。トリガ回路６８は、Ｐｌａｔｔｓｂｕｒｇｈ，  Ｎｅｗ  ＹｏｒｋのＭａｇｎａｖｏｌｔ  ＴｅｃｈｎｏｌｏｇｉｅｓおよびＬｅｗｉｓ  Ｃｅｎｔｅｒ，  ＯｈｉｏのＲＥ  Ｂｅｖｅｒｌｙ  ＩＩＩ  Ａｎｄ  Ａｓｓｏｃｉａｔｅｓからのカスタムデザインに応答して、商業上、購入され得る。
【００２３】
ＴＳＧデバイス４２、オートヒューズ電源５８およびトリガ回路６８は、本発明のオートヒューザデバイス７０を構成する。オートヒューザデバイス７０は、アノード電極３２とカソード電極３４（以後、これらをまとめて「製造電極」と呼ぶ）との間に接続されたときにおいて、メインパルス電源３０を放電させるのを避けるのに十分高いインピーダンスを有する必要がある。製造電極を横断した電圧スタンドオフは、充電されたメインパルス電源３０によって印加される電圧よりも大きい必要がある。最後に、製造電極を横断してオートヒューザデバイス７０によって印加された電圧は、メインパルス電源３０のコンデンサバンクの放電を引き起こすのに十分長い間、高電圧を維持する必要がある。
【００２４】
動作中では、製造電極は、製造電極を横断するスタンドオフ電圧がメインパルス電源３０の充電電圧よりも大きくなるように、各々に対してインデックス付けされる。さらに、二次電極４４は、ステップアップ変圧器６３によって供給される電圧よりも小さいスタンドオフ電圧を第１の一次電極４１に対して有するように、配置されている。メインパルス電源３０を構成するコンデンサは、３〜１０ｋＶの典型電圧に充電され、その一方で、オートヒューズ電源５８は、コンデンサ５１を３０ｋＶの典型電圧に充電する。第１の一次電極４１と第２の一次電極４３は、２０〜４０ｋＶの範囲にあるが、オートヒューザコンデンサ５１の充電電圧と、メインパルス電源の充電電圧との差よりも大きな電圧をスタンドオフするように、構成されている。光源６６が、光ファイバーケーブル６５を介してトリガパルス生成器６４に光信号を提供するように電圧が加えられるときにおいて、パルスがトリガパルス生成器６４によって生成される。そのパルスは、ステップアップ変圧器６３により検出され、ＴＳＧ保護回路６１を通過して二次電極４４へと送られる。ＴＳＧ保護回路６１は、電流がＴＳＧデバイス４２への一方向のみに流れることを可能にするように、設計されている。それに応答して、第１の一次電極４１および二次電極４４を横断してスパークが生じる。その後、第１の一次電極４１と第２の一次電極４３との間のスタンドオフ電圧が下がり、放電オートヒューズコンデンサ５１によって二つの一次電極を横断してアークが生成される。その結果として、第１の一次電極４１の電位が上がり、製造電極の電位差がブレイクダウン電圧レベル以上に増える。その後、製造電極を横断してアークが生成されて、メインパルス電源３０のコンデンサバンクを放電し、ナノパウダーが生成される。
【００２５】
高電力の外部スイッチを用いた既知のナノパウダー合成システムを超えた改善がオートヒューザデバイス７０によって提供されることは明らかである。高電力外部スイッチは、実質的に、開いている場合には高インピーダンスデバイスであり、閉じている場合には低インピーダンスデバイスである。ナノパウダー合成システムに外部高電力スイッチがある場合では、電極は、メインパルス電源３０の放電から形成された放電アークが電極間のギャップをこえるのが可能なような低インピーダンスを電極が示すのに十分近接して配置される必要がある。この場合では、高電力電流は、外部高電力スイッチおよび電極の両方ともを通る。電極間のギャップが大きい場合では、電極は高インピーダンスを示す。従って、外部電力スイッチが閉じられると、ギャップのインピーダンスが非常に高いので、何も起こらない。
【００２６】
外部電力スイッチを有しないがオートヒューザデバイス７０を含むナノパウダー合成システムでは、電極間のギャップが高インピーダンスを有するように構成される。従って、コンデンサバンクが充電されると、コンデンサバンクの電圧はアーク放電を生成しない。オートヒューザデバイス７０は、電極間のスタンドオフ電圧よりも大きな電圧を生成する比較的低エネルギーのデバイスである。オートヒューザデバイス７０と比べて、電極は低インピーダンスを示す。オートヒューザ７０が低電力の高電圧放電を提供すると、電極のインピーダンスは効果的に下がり、その結果、メインパルス電源３０が放電し得る。すなわち、オートヒューザデバイス７０は、製造電極の状態を高インピーダンスから低インピーダンスへと変化させる。
【００２７】
図２を参照すると、本発明の代替実施形態が示されている。そこでは、図１の記述において識別された類似したデバイスが、同じ参照番号によって参照される。図２の実施形態と図１の実施形態との主な違いは、図２では、オートヒューザデバイス７０が、アノード電極３２と、カソード電極３４と、メインパルス電源３０とに直列に電気接続されていることである。より詳しくは、パルス変圧器８１の二次コイル８０が、メインパルス電源３０とアノード電極３２との間で直列に電気接続されており、パルス変圧器８１の一次コイル８２が、ＴＳＧデバイス４２の一次電極４１とグランドとの間で直列に電気接続されている。
【００２８】
動作中では、アノード電極３２とカソード電極３４とを含む製造電極は、メインパルス電源３０の充電電圧をスタンドオフするように、また、パルス変圧器８１によって供給された電圧（典型的には２０〜３０ｋＶ）よりも低いブレイクダウン電圧を有するように、設計されている。メインパルス電源３０とオートヒューズ電源５８が作動されて充電される。その後、トリガ回路６８は、光源６６からの光信号によって起動されて、オートヒューザコンデンサ５１に、ＴＳＧデバイス４２の第１の一次電極４１および第２の一次電極４３を横断して放電させる。その結果、パルス変圧器８１の一次コイル８２において電圧スパイクが生じ、パルス変圧器８１が、二次コイル８０においてパルスを生成して、製造電極を横断する電圧をブレイクダウン電圧以上に増やす。その後、メインパルス電源３０は放電して、反応チャンバ３５内にナノパウダーを生成させる。
【００２９】
パルス変圧器８１が製造電極と直列するので、図２に示された本発明の実施形態は、１０ｍｓ以上のオーダーの長いパルス長を含んだアプリケーションにより適応しているということは理解されるべきである。さらに、メインパルス電源３０によって生成された電流がパルス変圧器８１を通るので、パルス変圧器８１は、過熱を避けるために低いインピーダンスを有する必要がある。さらに、オートヒューザデバイス７０によって印加された製造電極の電位差は、メインパルス電源３０の充電電圧よりも大きい必要があり、メインパルス電源３０の放電を引き起こしてナノパウダーを生成するのに十分長い間、製造電極の電位差を高く維持する必要がある。
【００３０】
イグナイトロン、固体スイッチおよびコンタクトスイッチのような旧型システムとは異なり、オートヒューザデバイス７０は、短寿命の部品を有しないが、むしろ、メインパルス電源３０の１０７回の放電まで耐え得る。
【００３１】
本発明はまた、アクティブな水冷、複雑な相互接続、または部品の交換の必要なしに、高電力の１Ｈｚ以上のオーダーの繰り返し率の放電と、１０７回以上の放電の寿命を提供し得る。寿命が伸びたは、信頼性のない外部電力スイッチを取り除き、比較的低電力の信頼性のある部品を備えたオートヒューザデバイス７０を使用した直接的な結果である。
【００３２】
２つの軸方向に並べられた電極を有する好適な実施形態と関連して、本発明を記載し、図示してきた。ペアの電極の両方が前駆物質からなろうと、そのペアのうちの一つの電極のみが前駆物質からなろうと、本発明が、ペアの電極間の高電力放電を用いる任意の一般的なナノパウダー合成システムに適用され得るということは理解される。
【００３３】
本発明の好適な実施形態を詳細に説明してきたが、特許請求の範囲に規定されるような本発明の精神および範囲から逸脱せずに、種々の置換、修正および改変がなされ得る。さらに、好適な実施形態の上記記載は、添付の特許請求の範囲に規定されるような本発明の範囲を限定するものとして捉えられるべきではない。
【図１】
2011212838.tif 000003
【図２】
2011212838.tif 000004
【外国語明細書】
2011212838000001.pdf